(57)【要約】【課題】  店側の負担とならずに顧客の特定のみに用いられる簡易な媒体を利用して複数の店のポイントサービスを共用することを可能にする。【解決手段】各加盟店にそれぞれ置かれた各ＰＯＳ端末３Ａと、ポイント算出機能を有する加盟店別の各ポイント管理サーバ５Ａとの間に介在する統合ポイント管理装置８を設ける。統合ポイント管理装置８は、通信処理部８３を介していずれかの加盟店に置かれたＰＯＳ端末３Ａから顧客の商品買上情報を受信すると、インタフェース処理部８５がその顧客が商品を購入した加盟店を特定する。そして、この特定された加盟店のポイント管理サーバ５Ａに当該顧客の商品買上情報を通信処理部８３を介して送信する。【選択図】      図５
2006099785.tif 000002
【特許請求の範囲】
【請求項１】
商品を販売する複数の加盟店にそれぞれ置かれ商品買上情報を発生する各ＰＯＳ端末及び顧客毎の商品買上情報から任意の計算手段により顧客毎にポイントを算出して顧客別に累計管理する加盟店別の各ポイント管理サーバと通信を行なう第１の通信手段と、
前記第１の通信手段を介していずれかの加盟店に置かれた前記ＰＯＳ端末から顧客の商品買上情報を受信すると、その顧客が商品を購入した加盟店を特定する第１の加盟店特定手段と、
この第１の加盟店特定手段により特定された加盟店の前記ポイント管理サーバに前記顧客の商品買上情報を前記第１の通信手段を介して送信する買上情報振分手段と、
を具備したことを特徴とする統合ポイント管理装置。
【請求項２】
前記第１の通信手段を介していずれかの前記ポイント管理サーバからそのサーバで算出されたポイント情報を受信すると、そのポイント情報のポイントが与えられる顧客が商品を購入した加盟店を特定する第２の加盟店特定手段と、
この第２の加盟店特定手段により特定された加盟店に置かれた前記ＰＯＳ端末に前記ポイント情報を前記第１の通信手段を介して送信するポイント情報振分手段と、
をさらに具備したことを特徴とする請求項１記載の統合ポイント管理装置。
【請求項３】
各顧客の氏名，住所等の基本情報を記憶する顧客情報記憶手段と、
前記第１の通信手段を介していずれかの前記ポイント管理サーバから顧客情報の問合せコマンドを受信すると、前記顧客情報記憶手段により記憶された情報の中から問合せがあった顧客の基本情報を読出して問合せ元のポイント管理サーバに前記第１の通信手段を介して送信する顧客情報応答手段と、
をさらに具備したことを特徴とする請求項１又は２に記載の統合ポイント管理装置。
【請求項４】
各顧客の氏名，住所等の基本情報とともにその顧客がポイント会員として登録された加盟店を識別する会員店識別情報を記憶する顧客情報記憶手段と、
公衆網を介して接続される通信端末と通信を行なう第２の通信手段と、
この第２の通信手段を介して前記通信端末から顧客のポイント照会コマンドを受信すると、前記顧客情報記憶手段により記憶された情報の中から問合せがあった顧客の会員店識別情報を参照して当該顧客がポイント会員として登録されている加盟店を抽出する会員加盟店抽出手段と、
この会員加盟店抽出手段により抽出された全ての加盟店の前記ポイント管理サーバから当該顧客の累計ポイントを前記第１の通信手段を介して収集する累計ポイント収集手段と、
この累計ポイント収集手段により収集した当該顧客の累計ポイントを前記ポイント照会コマンド送信元の通信端末に前記第２の通信手段を介して送信する累計ポイント送信手段と、
を具備したことを特徴とする請求項１記載の統合ポイント管理装置。
【請求項５】
各顧客の氏名，住所等の基本情報とともにその顧客がポイント会員として登録された加盟店を識別する会員店識別情報を記憶する顧客情報記憶手段と、
公衆網を介して接続される通信端末と通信を行なう第２の通信手段と、
この第２の通信手段を介して前記通信端末から顧客のポイント照会コマンドを受信すると、前記顧客情報記憶手段により記憶された情報の中から問合せがあった顧客の会員店識別情報を参照して当該顧客がポイント会員として登録されている加盟店を抽出する会員加盟店抽出手段と、
この会員加盟店抽出手段により抽出された加盟店のリストデータを前記ポイント照会コマンド送信元の通信端末に前記第２の通信手段を介して送信する加盟店リスト送信手段と、
この加盟店リスト送信手段により加盟店のリストデータを送信した前記通信端末から前記第２の通信手段を介してそのリストデータの中の少なくとも１つの加盟店を指定したことを示す加盟店指定情報を受信すると、その指定された加盟店のポイント管理サーバから当該顧客の累計ポイントを前記第１の通信手段を介して収集する累計ポイント収集手段と、
この累計ポイント収集手段により収集した当該顧客の累計ポイントを前記ポイント照会コマンド送信元の通信端末に前記第２の通信手段を介して送信する累計ポイント送信手段と、
を具備したことを特徴とする請求項１記載の統合ポイント管理装置。
【発明の詳細な説明】
【技術分野】
【０００１】
本発明は、複数の加盟店で実施されるポイントサービスを統合して管理する統合ポイント管理装置に関する。
【背景技術】
【０００２】
例えば商店において、商品の購入に応じて顧客にポイントを与え、累計ポイントが一定点数に達したならば顧客に特典を与えてサービスの還元を行なうことは以前から行なわれている。この場合において、各顧客が例えばＩＣカードからなるポイントカードを携帯し、買物の都度、店側にポイントカードを提示することによって、そのポイントカードに毎回のポイントが記録されるようにしたものも既に知られている。
【０００３】
ところで従来、ポイントカードは店毎に発行されていた。このため、複数の店のポイントサービスを利用している顧客は、多数のポイントカードを常時携帯してポイントを取得する度にその店のカードを提示する必要があり、カードの取扱いが煩雑であるという不都合があった。そこで、１枚のポイントカードで複数の店のポイントサービスを利用できるポイントシステムが提案されている（例えば、特許文献１参照）。
【０００４】
このポイントシステムは、ＩＣカードのメモリエリアをポイント情報インデックスエリアと複数のポイント情報エリアとに区分し、各ポイント情報エリアを店別に任意に割り当てられるようにしたポイントカードと、ポイントカードが挿入されると、そのカードのポイント情報インデックスエリアに予め設定された店情報が設定されているか否かを判断し、設定されている場合にはその店情報とともに記録されているインデックス番号のポイント情報エリアにポイントを記録するＰＯＳ（Point Of Sales）端末とからなる。このシステムを利用することにより、各店がそれぞれ新規の会員に対してその会員が有するポイントカードの空いているポイント情報エリアを自店舗のエリアに設定し、そのエリアのインデックス番号を当該店舗の店情報とともに当該カードのポイント情報インデックスエリアに記録することによって、１枚のポイントカードを複数の店で共用できるようになる。
【特許文献１】特開２００２-２４５５４９号公報
【発明の開示】
【発明が解決しようとする課題】
【０００５】
しかしながら、従来のこの種のポイントシステムにおいては、ポイントカードとしてメモリエリアがポイント情報インデックスエリアと複数のポイント情報エリアとに区分されたＩＣカードを利用しなければならず、会員番号等の顧客ＩＤコードが記録され顧客の特定のみに用いられる簡易なカードを利用することができなかった。このため、カードを紛失してしまった場合には、それまでに獲得していた全ての店のポイントを失ってしまう危険があった。また、ＰＯＳ端末も、ポイントカードのポイント情報インデックスエリアに予め設定された店情報が設定されているか否かを判断する処理や、該当する店情報が設定されている場合にその店情報とともに記録されているインデックス番号のポイント情報エリアにポイントを記録する処理等を実現するためのソフトウェアが必要であり、処理負荷が大きかったので、普及しがたいシステムであった。
【０００６】
本発明はこのような事情に基づいてなされたものであり、その目的とするところは、店側の負担が格別大きなものになることなく顧客の特定のみに用いられる簡易な媒体を利用して複数の店のポイントサービスを共用することを可能にした統合ポイント管理装置を提供しようとするものである。
【課題を解決するための手段】
【０００７】
本発明は、商品を販売する複数の加盟店にそれぞれ置かれ商品買上情報を発生する各ＰＯＳ端末と、顧客毎の商品買上情報から任意の計算手段により顧客毎にポイントを算出して顧客別に累計管理する加盟店別の各ポイント管理サーバとの間に介在する統合ポイント管理装置であって、本装置は、各加盟店のＰＯＳ端末及び加盟店別の各ポイント管理サーバと通信を行なう第１の通信手段と、第１の通信手段を介していずれかの加盟店に置かれたＰＯＳ端末から顧客の商品買上情報を受信すると、その顧客が商品を購入した加盟店を特定する第１の加盟店特定手段と、この第１の加盟店特定手段により特定された加盟店のポイント管理サーバに顧客の商品買上情報を第１の通信手段を介して送信する買上情報振分手段とを備えている。
【０００８】
本発明においては、各加盟店に置かれたＰＯＳ端末が顧客の商品買上げ情報を統合ポイント管理装置に送信すると、統合ポイント管理装置は、この顧客の商品買上げ情報を第1の通信手段を介して受信する。そして、第１の加盟店特定手段によりこの顧客が商品を購入した加盟店を特定したならば、買上情報振分手段によりこの顧客の商品買上げ情報をその特定された加盟店のポイント管理サーバに第１の通信手段を介して送信する。これにより、ポイント管理サーバにおいては、受信した顧客の商品買上げ情報から当該顧客に対するポイントが算出され、このポイントが顧客別に累計管理される。
【発明の効果】
【０００９】
以上詳述したように、本発明の統合ポイント管理装置を用いることによって、店側の負担が格別大きなものになることなく、顧客の特定のみに用いられる簡易な媒体を利用して、複数の店のポイントサービスを共用できるようになる。
【発明を実施するための最良の形態】
【００１０】
図1は本発明に係る一実施の形態のシステム構成を示す模式図であり、この実施の形態は、統合ポイント運営センタ1を設立し、このセンタ１に加盟した各チェーン店（加盟店Ａ，加盟店Ｂと称する）で実施されるポイントサービスを、1枚のポイントカード（以下、統合ポイントカードと称する）で統合できるようにした場合である。
【００１１】
加盟店Ａは、各地にチェーン展開している各店舗２Ａにそれぞれ設置されている各ＰＯＳ端末３Ａと、各店舗を統轄する本部４Ａに設置されている本部サーバ５Ａとを専用のネットワーク６Ａで接続し、各ＰＯＳ端末３Ａで実行される商品登録等の業務を本部サーバ５Ａによって一元的に管理できるようにしている。本部サーバ５Ａは、加盟店Ａのポイント会員として登録された顧客に関する情報を記憶するための顧客データベース７Ａを備えており、顧客毎の商品買上情報から所定の計算ロジック（計算手段）により顧客毎にポイントを算出して顧客別に累計管理するポイント管理サーバとしての機能を有している。
【００１２】
加盟店Ｂも、加盟店Ａと同様に、各店舗２Ｂにそれぞれ設置されている各ＰＯＳ端末３Ｂと、本部４Ｂに設置されている本部サーバ５Ｂとを専用のネットワーク６Ｂで接続し、各ＰＯＳ端末３Ｂで実行される業務を本部サーバ５Ｂによって一元的に管理できるようにしている。本部サーバ５Ｂは、加盟店Ｂのポイント会員として登録された顧客に関する情報を記憶するための顧客データベース７Ｂを備えており、やはり顧客毎の商品買上情報から所定の計算ロジックにより顧客毎にポイントを算出して顧客別に累計管理するポイント管理サーバとしての機能を有している。ここで、ポイントの算出ロジックは加盟店毎に任意に決定されるものであり、同一の買上金額でも加盟店によって算出される今回ポイントが異なることを妨げないものである。
【００１３】
一方、統合ポイント運営センタ１には、サーバ用コンピュータを主体に構成された統合ポイント管理装置８が設けられている。そして、各加盟店Ａ，Ｂの各ＰＯＳ端末３Ａ，３Ｂと本部サーバ５Ａ，５Ｂとが、それぞれ広域ネットワーク９を介して上記統合ポイント管理装置８に接続されている。
【００１４】
統合ポイント管理装置８には、加盟店Ａ及び加盟店Ｂの少なくとも一方でポイント会員に登録された顧客に関する基本情報を記憶する顧客情報記憶手段としての顧客基本データベース１０と、統合ポイント運営センタ１に加盟した各加盟店Ａ，Ｂに関する情報を記憶するための加盟店データベース１１とが設けられている。また、統合ポイント管理装置８はインターネット１２に接続しており、パソコンや携帯電話等のインターネット対応の通信端末とＷＷＷ（World-Wide-Web）技術を利用して情報交換できるようになっている。
【００１５】
図２は前記顧客基本データベース１０に登録される１顧客分のレコードの主要部を示す模式図である。図示するように、１顧客分のレコードには、その顧客を特定するために顧客毎に設定された顧客コードと、その顧客の氏名，住所，性別，年齢，電話番号，Ｅメールアドレス，職業，趣味，年収等の顧客基本情報と、加盟店Ａ，Ｂ毎の会員フラグ（ＡＦ：加盟店Ａの会員フラグ、ＢＦ：加盟店Ｂの会員フラグ）とが少なくとも記録されている。会員フラグＡＦ，ＢＦは、当該レコードの顧客がポイント会員として登録された加盟店を識別する会員店識別情報として機能するもので、加盟店Ａにおいてポイント会員として登録された場合には会員フラグＡＦが“１”にセットされ、加盟店Ｂにおいてポイント会員として登録された場合には会員フラグＢＦが“１”にセットされる。
【００１６】
図３は前記加盟店データベース１１に登録される１加盟店分のレコードの主要部を示す模式図である。図示するように、１加盟店分のレコードには、その加盟店を特定するために加盟店毎に設定された加盟店コードと、その加盟店の加盟店名，広域ネットワーク９上の通信アドレス及び店舗数Ｎと、各店舗固有の店舗コード，店舗名及び広域ネットワーク９上の通信アドレスとが少なくとも記録されている。
【００１７】
図４は前記顧客データベース７Ａ，７Ｂに登録される１顧客分のレコードの主要部を示す模式図である。図示するように、１顧客分のレコードには、その顧客の顧客コードと、顧客個人情報と、累計ポイントとが少なくとも記録されている。顧客個人情報は、顧客基本データベース１０に登録されている当該顧客の基本情報の中から加盟店毎に任意に抽出した項目の情報であり、どの項目の情報を抽出するかは加盟店毎に設定可能である。
【００１８】
図５は統合ポイント管理装置８とＰＯＳ端末３Ａ，３Ｂと本部サーバ５Ａ，５Ｂの本発明に関わる機能の主要部を示すブロック図である。なお、ＰＯＳ端末３Ａ，３Ｂと本部サーバ５Ａ，５Ｂは主要部において同一機能を有しているので、加盟店Ａ側のＰＯＳ端末３Ａと本部サーバ５Ａとを図示し、加盟店Ｂ側のＰＯＳ端末３Ｂと本部サーバ５Ｂとは省略している。
【００１９】
ＰＯＳ端末３Ａ（ＰＯＳ端末３Ｂ）は、商品登録処理部３１，会員締め処理部３２及びセンタ通信処理部３３を有している。そして、スキャナ３４またはキーボード３５を介して顧客が購入する商品のＰＬＵ（Price Look Up）コード等の商品情報が入力されると、商品登録処理部３１が作用して、その商品の販売データをメモリに処理する。また、顧客毎に買上商品の合計金額（買上金額）を算出する。次いで、キーボード３５の会員締めキー（図示せず）が操作されて、ポイント会員である顧客が購入する商品の登録締めが宣言されると、会員締め処理部３２が作用して、図６の流れ図に示す処理を実行する。
【００２０】
すなわち、ＰＯＳ端末３Ａ（ＰＯＳ端末３Ｂ）は、ＳＴ（ステップ）１としてポイント会員である顧客が携帯している統合ポイントカード３６に記録されている顧客コードを取得する。因みに、統合ポイントカード３６が磁気カードからなる場合には磁気カードリーダを利用して顧客コードを取得し、ＩＣカードの場合にはＩＣカードリーダを利用して顧客コードを取得し、無線カードの場合にはカード受信機を利用して顧客カードを取得する。
【００２１】
次に、ＰＯＳ端末３Ａ（ＰＯＳ端末３Ｂ）は、ＳＴ２としてポイント取引伝文を生成する。ポイント取引伝文は、統合ポイントカード３６から取得した顧客コードと、加盟店コード及び店舗コードと、買上日時及び買上金額等の情報から構成されている。加盟店コード及び店舗コードは、当該ＰＯＳ端末３Ａ（ＰＯＳ端末３Ｂ）が置かれている店舗のものであり、ＰＯＳ端末３Ａ（ＰＯＳ端末３Ｂ）のメモリに予め設定されている。買上日時は、端末内の時計ＩＣによって計時されている現時点の日付と時刻である。買上金額は、当該顧客が購入する商品の合計金額であり、商品登録処理部３１から取得する。ここに、ポイント取引伝文は、ポイント会員である顧客の当該加盟店における商品買上情報である。なお、ポイント取引伝文には、拡張情報として買上商品のコード，点数等が付加されていてもよい。この拡張情報の項目は、加盟店毎に異なっていてよいものである。
【００２２】
ポイント取引伝文を生成すると、ＰＯＳ端末３Ａ（ＰＯＳ端末３Ｂ）は、ＳＴ３としてセンタ通信処理部３３にこのポイント取引伝文を送る。これにより、センタ通信処理部３３が動作して、ポイント取引伝文が統合ポイント運営センタ１の統合ポイント管理装置８に広域ネットワーク９を介して送信される。
【００２３】
そこで、ＰＯＳ端末３Ａ（ＰＯＳ端末３Ｂ）は、ＳＴ４として統合ポイント管理装置８からの応答伝文を待機する。そして、所定時間内に応答伝文をセンタ通信処理部３３を介して受信したならば、ＳＴ５としてその応答伝文がポイント情報伝文か否かを判断する。ここで、応答伝文が前回ポイント及び今回ポイントとその累計ポイントとが組み込まれたポイント情報伝文であった場合には、ＳＴ６としてレシートプリンタ（不図示）を動作させて当該顧客の買上レシート３７にそのポイント情報を印字する。しかる後、ＳＴ７としてこの買上レシート３７を発行したならば、この会員締め処理を終了するものとなっている。
【００２４】
統合ポイント管理装置８は、会員登録処理部８１及び顧客コード生成部８２を有している。そして、パソコン，ワークステーション等の入出力装置８８の操作により、ポイント会員の申込用紙に記述されている顧客の基本情報が入力されると、会員登録処理部８１が作用する。会員登録処理部８１は、この基本情報と、顧客コード生成部８２によって生成される未使用の新規顧客コードとから顧客基本データベース１０のレコードを生成する。このとき、各会員フラグＡＦ，ＢＦは初期状態としていずれも“０”にリセットする。しかる後、この生成したレコードを顧客基本データベース１０に追加登録する。また、この新規の顧客コードが記録された統合ポイントカード３６を発行するものとなっている。
【００２５】
統合ポイント管理装置８は、通信処理部８３とインタフェース処理部８５とを有している。通信処理部８３は、各加盟店Ａ，Ｂの各店舗２Ａ，２Ｂにそれぞれ置かれている各ＰＯＳ端末３Ａ，３Ｂ及び加盟店Ａ，Ｂ別の本部サーバ５Ａ，５Ｂと広域ネットワーク９を介して通信を行なう第１の通信手段として機能する。
【００２６】
インタフェース処理部８５は、第１の通信手段（通信処理部８３）を介していずれかの加盟店Ａ，Ｂに置かれたＰＯＳ端末３Ａ，３Ｂから顧客の商品買上情報（ポイント取引伝文）を受信すると、その顧客が商品を購入した加盟店Ａ，Ｂを特定する第１の加盟店特定手段と、この第１の加盟店特定手段により特定された加盟店のポイント管理サーバ（本部サーバ５Ａ，５Ｂ）にＰＯＳ端末３Ａ，３Ｂから受信した顧客の商品買上情報（ポイント取引伝文）を第１の通信手段（通信処理部８３）を介して送信する買上情報振分手段と、第１の通信手段（通信処理部８３）を介していずれかのポイント管理サーバ（本部サーバ５Ａ，５Ｂ）からそのサーバで算出されたポイント情報を受信すると、そのポイント情報のポイントが与えられる顧客が商品を購入した加盟店Ａ，Ｂを特定する第２の加盟店特定手段と、この第２の加盟店特定手段により特定された加盟店Ａ，Ｂに置かれたＰＯＳ端末３Ａ，３Ｂにポイント管理サーバ（本部サーバ５Ａ，５Ｂ）から受信したポイント情報を第１の通信手段（通信処理部８３）を介して送信するポイント情報振分手段としての機能を有している。
【００２７】
すなわちインタフェース処理部８５は、図７の流れ図に示すように、ＳＴ１１として広域ネットワーク９を介して送られてくる伝文を待機している。ここで、ＳＴ１２として通信処理部８３を介していずれかのＰＯＳ端末３Ａ，３Ｂからポイント取引伝文を受信すると、ＳＴ１３として加盟店データベース１１を検索して、そのポイント取引伝文中の加盟店コードに対応して設定されている本部通信アドレスを取得する（第１の加盟店特定手段）。そして、ＳＴ１４として当該ポイント取引伝文をその本部通信アドレスが設定された本部サーバ宛に通信処理部８３を介して広域ネットワーク９経由で送信するものとなっている（買上情報振分手段）。
【００２８】
またインタフェース処理部８５は、ＳＴ１５として通信処理部８３を介していずれかの本部サーバ５Ａ，５Ｂからポイント取引伝文に対する応答伝文を受信すると、ＳＴ１６として加盟店データベース１１を検索して、その応答伝文中の加盟店コードと店舗コードに対応して設定されている店舗通信アドレスを取得する（第２の加盟店特定手段）。そして、ＳＴ１７として当該応答伝文をその店舗通信アドレスが設定されたＰＯＳ端末宛に通信処理部８３を介して広域ネットワーク９経由で送信するものとなっている（ポイント情報振分手段）。
【００２９】
統合ポイント管理装置８は、顧客情報応答部８６を有している。顧客情報応答部８６は、第１の通信手段（通信処理部８３）を介していずれかのポイント管理サーバ（本部サーバ５Ａ，５Ｂ）から顧客情報の問合せコマンドを受信すると、顧客情報記憶手段（顧客基本データベース１０）により記憶された情報の中から問合せがあった顧客の基本情報を読出して問合せ元のポイント管理サーバ（本部サーバ５Ａ，５Ｂ）に第１の通信手段（通信処理部８３）を介して送信する顧客情報応答手段と、この顧客情報応答手段により顧客の基本情報を送信したポイント管理サーバ（本部サーバ５Ａ，５Ｂ）の加盟店に対して当該顧客がポイント会員として登録されたことを示すべく会員店識別情報（会員フラグ）を更新する会員店識別情報更新手段として機能する。
【００３０】
すなわち顧客情報応答部８６は、図８の流れ図に示すように、ＳＴ２１として広域ネットワーク９を介して送られてくる顧客情報問合せコマンドを待機している。そして、通信処理部８３を介していずれかの本部サーバ５Ａ，５Ｂから当該本部サーバ５Ａ，５Ｂに設定されている加盟店コードと問合せ対象の顧客コードとを含む顧客情報問合せコマンドを受信すると、ＳＴ２２として顧客基本データベース１０を検索して、問合せ対象の顧客コードに対応して記憶されている顧客基本情報を読み出す。そして、この顧客基本情報をコマンド送信元の本部サーバ５Ａ，５Ｂ宛に通信処理部８３を介して広域ネットワーク９経由で送信する（顧客情報応答手段）。また、ＳＴ２３として問合せがあった顧客コードに対応する問合せ元加盟店、つまりはコマンドに含まれる加盟店コードによって特定される加盟店の会員フラグＡＦまたは会員フラグＢＦを“１”にセットするものとなっている（会員店識別情報更新手段）。
【００３１】
統合ポイント管理装置８は、ポイント照会処理部８７を有している。ポイント照会処理部８７は、公衆網（インターネット１２）を介して接続される通信端末（パソコン，携帯電話等）と通信を行なう第２の通信手段と、この第２の通信手段を介して通信端末（パソコン，携帯電話等）から顧客のポイント照会コマンドを受信すると、顧客情報記憶手段（顧客基本データベース１０）により記憶された情報の中から問合せがあった顧客の会員店識別情報（会員フラグ）を参照して当該顧客がポイント会員として登録されている加盟店を抽出する会員加盟店抽出手段と、この会員加盟店抽出手段により抽出された全ての加盟店のポイント管理サーバ（本部サーバ５Ａ，５Ｂ）から当該顧客の累計ポイントを第１の通信手段（通信処理部８３）を介して収集する累計ポイント収集手段と、この累計ポイント収集手段により収集した当該顧客の累計ポイントをポイント照会コマンド送信元の通信端末（パソコン，携帯電話等）に第２の通信手段を介して送信する累計ポイント送信手段として機能する。
【００３２】
またポイント照会処理部８７は、会員加盟店抽出手段により抽出された加盟店のリストデータをポイント照会コマンド送信元の通信端末（パソコン，携帯電話等）に第２の通信手段を介して送信する加盟店リスト送信手段と、この加盟店リスト送信手段により加盟店のリストデータを送信した通信端末（パソコン，携帯電話等）から第２の通信手段を介してそのリストデータの中の少なくとも１つの加盟店を指定したことを示す加盟店指定情報を受信すると、その指定された加盟店のポイント管理サーバ（本部サーバ５Ａ，５Ｂ）から当該顧客の累計ポイントを第１の通信手段（通信処理部８３）を介して収集する累計ポイント収集手段と、この累計ポイント収集手段により収集した当該顧客の累計ポイントをポイント照会コマンド送信元の通信端末（パソコン，携帯電話等）に第２の通信手段を介して送信する累計ポイント送信手段としても機能する。
【００３３】
すなわちポイント照会処理部８７は、図９の流れ図に示すように、ＳＴ３１としてポイント照会コマンドの受信を待機している。ポイント照会コマンドは、ポイント照会対象の１つの顧客コードと、その顧客コードが設定された顧客が会員として登録されている全加盟店のポイントを照会する一括照会なのか、加盟店毎に照会する個別照会なのかを識別する照会区分情報とを含むものである。ポイント照会処理部８７は、インターネット１２を通じて接続されたインターネット対応の通信端末（パソコン，携帯電話等）から上記ポイント照会コマンドを受信すると、ＳＴ３２としてそのコマンドの照会区分情報から一括照会が指定されたのか個別照会が指定されたのかを判断する。
【００３４】
ここで、一括照会が指定された場合には、ＳＴ３３として顧客基本データベース１０を検索して、ポイント照会対象の顧客コードに対応して記憶されている会員フラグを調べる。そして、“１”にセットされている会員フラグに該当する加盟店を、当該顧客コードが設定された顧客がポイント会員として登録されている加盟店として抽出する。例えば、会員フラグＡＦが“１”にセットされ、会員フラグＢＦが“０”にリセットされていたならば加盟店Ａを抽出し、会員フラグＡＦが“０”にリセットされ、会員フラグＢＦが“１”にセットされていたならば加盟店Ｂを抽出し、会員フラグＡＦ，ＢＦとも“１”にセットされていたならば加盟店Ａ及び加盟店Ｂを抽出する（会員加盟店抽出手段）。
【００３５】
次に、ポイント照会処理部８７は、ＳＴ３４として加盟店データベース１１を参照して、ＳＴ３３の処理で抽出した加盟店の本部通信アドレスを取得し、通信処理部８３を介してその本部通信アドレスが設定された本部サーバ宛にポイント照会対象の顧客コードを含むポイント照会コマンドを広域ネットワーク９経由で送信する。このとき、複数の加盟店を抽出していた場合には、各加盟店の本部サーバに対して並列にポイント照会コマンドを送信する。（累計ポイント収集手段）。
【００３６】
その後、ＳＴ３５としてコマンド送信先の本部サーバから累計ポイントが組み込まれたポイント応答伝文を受信したならば、ＳＴ３６として加盟店データベース１１を参照して、その応答伝文に含まれる加盟店コードの加盟店名を取得する。そして、この加盟店名と当該応答伝文中の累計ポイントとからなるポイント情報を、コマンド送信先の全ての本部サーバから同様なポイント応答伝文を受信するまで記憶する。そして、ＳＴ３７としてコマンド送信先の全ての本部サーバからポイント応答伝文を受信したことを確認するか、コマンドを送信してから一定時間を経過したならば照会終了と判断して、ＳＴ３８としてＳＴ３６の処理で記憶したポイント情報をポイント照会コマンド送信元の通信端末にインターネット１２を通じて送信する（累計ポイント送信手段）。
【００３７】
以上で今回の一括照会処理を終了し、ＳＴ３１に戻って、次のポイント照会コマンドの受信を待機するものとなっている。
【００３８】
一方、個別照会が指定された場合には、ＳＴ３９として顧客基本データベース１０を検索して、ポイント照会対象の顧客コードに対応して記憶されている会員フラグを調べる。そして、“１”にセットされている会員フラグに該当する加盟店を、当該顧客コードが設定された顧客がポイント会員として登録されている加盟店として抽出する。そして、ＳＴ４０として加盟店データベース１１を参照して、その抽出した加盟店の加盟店名リストを作成し、ポイント照会コマンド送信元の通信端末にインターネット１２を通じて送信する（加盟店リスト送信手段）。
【００３９】
次に、ポイント照会処理部８７は、当該通信端末からのコマンドを待機する。そして、ＳＴ４１として前記加盟店リスト中のいずれかの加盟店を指定したことを示す加盟店指定コマンドを受信したならば、ＳＴ４２として加盟店データベース１１を参照して、この加盟店指定情報によって指定された加盟店の本部通信アドレスを取得し、通信処理部８３を介してその本部通信アドレスが設定された本部サーバ宛にポイント照会対象の顧客コードを含むポイント照会コマンドを広域ネットワーク９経由で送信する（累計ポイント収集手段）。
【００４０】
その後、ＳＴ４３としてコマンド送信先の本部サーバから累計ポイントが組み込まれたポイント応答伝文を受信したならば、ＳＴ４４としてその応答伝文に含まれる累計ポイントを、ポイント照会コマンド送信元の通信端末にインターネット１２を通じて送信する（累計ポイント送信手段）。
【００４１】
しかる後、ポイント照会処理部８７は、再び当該通信端末からのコマンドを待機する。そして、別の加盟店を指定したことを示す加盟店指定コマンドを受信したならば、ＳＴ４２〜ＳＴ４４の各処理を繰り返し実行する。これに対し、照会終了を示すコマンドを受信した場合には、今回の個別照会処理を終了し、ＳＴ３１に戻って、次のポイント照会コマンドの受信を待機するものとなっている。
【００４２】
本部サーバ５Ａ（本部サーバ５Ｂ）は、センタ通信処理部５１，ポイント演算部５２及び顧客データベース管理部５３を有している。そしてセンタ通信処理部５１において、広域ネットワーク９を介して接続された統合ポイント管理装置８からポイント取引伝文を受信すると、ポイント演算部５２が作用する。ポイント演算部５２は、ポイント取引伝文に含まれる買上金額から所定の算出ロジックにより今回ポイントを算出する。例えば、買上金額１００円につき１ポイントと指定されていた場合には、買上金額を１００で除算し、その商の正数を今回ポイントとする。また、曜日限定の変更倍率として２倍が指定されており、買上げ日の曜日が該当する場合には、買上金額を１００で除算し、その商の正数を２倍して今回ポイントを算出する。
【００４３】
今回ポイントを算出後、ポイント演算部５２は、顧客データベース７Ａ（顧客データベース７Ｂ）を参照して、ポイント取引伝文に含まれる顧客コードが存在するか否かを判断する。ここで、該当顧客コードのレコードが顧客データベース７Ａ（顧客データベース７Ｂ）に存在する場合には、そのレコードの累計ポイントを前回ポイントとして取得した後、そのレコードの累計ポイントに今回ポイントを加算して累計ポイントを更新する。しかる後、ポイント取引伝文の顧客コード，加盟店コード及び店舗コードと、前回ポイント，今回ポイント及び更新後の累計ポイント等を含むポイント情報応答伝文を作成し、このポイント情報応答伝文をセンタ通信処理部５１を介して統合ポイント管理装置８に広域ネットワーク９を通じて送信する。なお、ポイント情報応答伝文には、拡張情報としてレシートに印字するメッセージ等が付加されていてもよい。この拡張情報の項目は、加盟店毎に異なっていてよいものである。
【００４４】
これに対し、該当顧客コードのレコードが顧客データベース７Ａ（顧客データベース７Ｂ）に存在しない場合には、新たに該当顧客コードのレコードを顧客データベース７Ａ（顧客データベース７Ｂ）に追加する。そして、今回ポイントをこのレコードの累計ポイントとしてセットする。しかる後、ポイント取引伝文の顧客コード，加盟店コード及び店舗コードと、今回ポイントとを含むポイント情報応答伝文を作成し、このポイント情報応答伝文を同様にして統合ポイント管理装置８に送信するものとなっている。
【００４５】
また本部サーバ５Ａ（本部サーバ５Ｂ）は、センタ通信処理部５１において、広域ネットワーク９を介して接続された統合ポイント管理装置８からポイント照会コマンドを受信すると、顧客データベース管理部５３が作用する。顧客データベース管理部５３は、顧客データベース７Ａ（顧客データベース７Ｂ）を検索して、コマンド中の顧客コードに対応する累計ポイントを読み出し、この累計ポイントを含むポイント応答伝文を作成する。そして、センタ通信処理部５１を介してポイント応答伝文を統合ポイント管理装置８に広域ネットワーク９を通じて送信する。
【００４６】
また顧客データベース管理部５３は、定期的に顧客データベース７Ａ（顧客データベース７Ｂ）を検索して、顧客情報が未設定のレコードの有無を調べる。そして、顧客情報が未設定のレコードを検出したならば、そのレコードの顧客コードと、当該本部サーバ５Ａ（本部サーバ５Ｂ）に予め設定されている加盟店コードとから顧客情報問合せコマンドを作成する。そして、センタ通信処理部５１を介して顧客情報問合せコマンドを統合ポイント管理装置８に広域ネットワーク９を通じて送信する。その後、統合ポイント管理装置８から問合せを行なった顧客の顧客基本情報を受信すると、その基本情報から当該加盟店において必要な顧客情報を抽出し、その顧客情報を顧客データベース７Ａ（顧客データベース７Ｂ）における該当顧客コードのレコードに追加するものとなっている。
【００４７】
このように構成された本実施の形態においては、加盟店Ａ及び加盟店Ｂで実施されるポイントサービスを受ける顧客は、事前に統合ポイント運営センタ１に対して会員登録を行なう。会員登録は、各加盟店Ａ，Ｂに用意された申込用紙に必要事項を記入して行なう。なお、統合ポイント運営センタ１が開設するＷｅｂサイトにアクセスして、会員登録用ホームページに必要事項を入力することにより、会員登録できるようにしてもよい。
【００４８】
会員登録が承認されると、統合ポイント運営センタ１においてその顧客に対して新規の顧客コードが設定され、当該顧客コードが記録された統合ポイントカード３６が発行されて、当該顧客に受け渡される。また、統合ポイント管理装置８によって管理されている顧客基本データベース１０に、当該顧客の顧客コードや顧客基本情報が登録される。
【００４９】
統合ポイントカード３６を取得した顧客は、加盟店Ａまたは加盟店Ｂで買物をした際に統合ポイントカード３６を店側に提示する。例えば今、当該顧客が初めて加盟店Ａの店舗２Ａで買物をし、ＰＯＳ端末３Ａにおいてその買上商品の販売データが処理された後、会員締めキーが操作されたとする。そうすると、当該顧客から提示された統合ポイントカード３６の顧客コードと、加盟店Ａの加盟店コード及び当該店舗２Ａの店舗コードと、買上日時及び買上金額等の情報から構成されたポイント取引伝文が、広域ネットワーク９を介して統合ポイント運営センタ１の統合ポイント管理装置８に送信される。
【００５０】
これにより、統合ポイント管理装置８においては、当該ポイント取引伝文中の加盟店コードに基づいて、加盟店データベース１１から加盟店Ａの本部通信アドレスが取得される。そして、この本部通信アドレスが設定された加盟店Ａの本部サーバ５Ａに、当該ポイント取引伝文が広域ネットワーク９を介して送信される。
【００５１】
これにより、本部サーバ５Ａにおいては、当該ポイント取引伝文中の買上金額等に基づいて、今回ポイントが算出される。このとき、顧客データベース７Ａには当該顧客のレコードが存在しないので、当該顧客の顧客コードと今回ポイントが設定され、個人情報は未設定のレコードが顧客データベース７Ａに追加される。また、本部サーバ５Ａから統合ポイント管理装置８に、ポイント取引伝文の顧客コード，加盟店コード及び店舗コードと今回ポイントとを含むポイント応答伝文が広域ネットワーク９を介して送信される。
【００５２】
これにより、統合ポイント管理装置８においては、当該ポイント応答伝文中の加盟店コード及び店舗コードに基づいて、加盟店データベース１１から加盟店Ａの店舗２Ａの店舗通信アドレスが取得される。そして、この店舗通信アドレスが設定された店舗２ＡのＰＯＳ端末３Ａに、当該ポイント応答伝文が広域ネットワーク９を介して送信される。これにより、ＰＯＳ端末３Ａにおいては、当該ポイント応答伝文中の今回ポイントが印刷された買上レシート３７が発行される。
【００５３】
同様に、当該顧客が初めて加盟店Ｂの店舗２Ｂで買物をし、ＰＯＳ端末３Ｂにおいてその買上商品の販売データが処理された後、会員締めキーが操作された場合には、このＰＯＳ端末３Ｂから送信されたポイント取引伝文が、統合ポイント管理装置８を経由して加盟店Ｂの本部サーバ５Ｂに送信される。そして、この本部サーバ５Ｂにおいて今回ポイントが算出され、顧客データベース７Ｂに当該顧客の顧客コードと今回ポイントとが設定されたレコードが追加登録されるとともに、この今回ポイント等を含むポイント応答伝文が、統合ポイント管理装置８を経由して店舗２ＢのＰＯＳ端末３Ｂに送信される。そして、ＰＯＳ端末３Ｂから今回ポイントが印刷された買上レシート３７が発行される。
【００５４】
その後、当該顧客が加盟店Ａの別店舗２Ａ′で買物をした場合には、当該店舗２Ａ′のＰＯＳ端末３Ａ′から送信されたポイント取引伝文が、統合ポイント管理装置８を経由して加盟店Ａの本部サーバ５Ａに送信される。そして、この本部サーバ５Ａにおいて今回ポイントが算出され、顧客データベース７Ａにて顧客別に記憶管理されている当該顧客の累計ポイントに加算される。また、前回ポイント，今回ポイント及び更新後の累計ポイント等を含むポイント応答伝文が、統合ポイント管理装置８を経由して店舗２Ａ′のＰＯＳ端末３Ａ′に送信される。そして、ＰＯＳ端末３Ａ′から前回ポイント，今回ポイント及び累計ポイントが印刷された買上レシート３７が発行される。
【００５５】
同様に、当該顧客が加盟店Ｂの別店舗２Ｂ′で買物をした場合には、当該店舗２Ｂ′のＰＯＳ端末３Ｂ′から送信されたポイント取引伝文が、統合ポイント管理装置８を経由して加盟店Ｂの本部サーバ５Ｂに送信される。そして、この本部サーバ５Ｂにおいて今回ポイントが算出され、顧客データベース７Ｂにて顧客別に記憶管理されている当該顧客の累計ポイントに加算される。また、前回ポイント，今回ポイント及び更新後の累計ポイント等を含むポイント応答伝文が、統合ポイント管理装置８を経由して店舗２Ｂ′のＰＯＳ端末３Ｂ′に送信される。そして、ＰＯＳ端末３Ｂ′から前回ポイント，今回ポイント及び累計ポイントが印刷された買上レシート３７が発行される。
【００５６】
このように本実施の形態によれば、顧客を特定するための顧客コードのみが記録された簡易な統合ポイントカード３６を利用して、複数の加盟店Ａ，Ｂのそれぞれ独自のポイントサービスを受けることができる。これに関して、各加盟店Ａ，Ｂの各加盟店Ａ，Ｂの本部サーバ５Ａ，５Ｂは、ネットワークを介して受信したポイント取引伝文の買上情報に基づいて今回ポイントを算出し、この今回ポイント等を含むポイント応答伝文を返信するとともに顧客別にポイントを累計管理するだけなので、既存のポイントシステムが有する仕組みと同一である。また、各店舗２Ａ，２Ｂにそれぞれ置かれるＰＯＳ端末３Ａ，３Ｂは、ポイントカード３６のカード情報である顧客コードを含むポイント取引伝文を作成して統合ポイント管理装置８に送信し、これに応じて受信したポイント応答伝文中のポイント情報を買上レシート３７に印字して発行する処理を行なうだけなので、処理負荷が小さく、簡単なソフトウェアの改良で対処できるので、普及しやすいものである。
【００５７】
ところで、本部サーバ５Ａ，５Ｂの顧客データベース７Ａ，７Ｂに新たに追加されたレコードには、当初、顧客個人情報が設定されていない。そこで本実施の形態では、本部サーバ５Ａ，５Ｂがそれぞれ定期的に顧客データベース７Ａ，７Ｂを検索して個人情報が未設定の顧客コードを抽出し、その顧客の基本情報を統合ポイント管理装置８に広域ネットワーク９を介して問い合わせる。問合せを統合ポイント管理装置８は、該当する顧客の基本情報を顧客基本データベース１０から取得して、広域ネットワーク９を介して問合せ元の本部サーバ５Ａ，５Ｂに送信する。これにより、本部サーバ５Ａ，５Ｂは、顧客基本情報に基づいて顧客データベース７Ａ，７Ｂに該当顧客の個人情報を登録するように構成されている。
【００５８】
したがって、顧客は各加盟店Ａ，Ｂでポイントサービスを受ける際に共通の統合ポイントカード３６を提示すればよいので、カードの取扱いや管理が簡単である。また、顧客は各加盟店Ａ，Ｂでそれぞれ会員登録をする必要がないので、加盟店毎に会員登録をしなければならない煩わしさもない。また、加盟店側も会員登録にかかるコストを低減できる効果を奏し得る。
【００５９】
また、統合ポイントカード３６には顧客を特定するための顧客コードしか記録されておらず、その顧客コードは統合ポイント管理装置８の顧客基本データベース１０によって記憶管理されている。しかも、統合ポイント管理装置８は、顧客基本データベース１０において顧客別に加盟店毎の会員フラグＡＦ，ＢＦを記憶している。そして、加盟店Ａの本部サーバ５Ａからある顧客の顧客情報問合せコマンドを受信した場合には、その顧客の加盟店Ａに対する会員フラグＡＦをセットして、当該顧客が加盟店Ａにてポイント会員として登録されたことを記憶管理するようにしている。同様に、加盟店Ｂの本部サーバ５Ｂからある顧客の顧客情報問合せコマンドを受信した場合には、その顧客の加盟店Ｂに対する会員フラグＢＦをセットして、当該顧客が加盟店Ｂにてポイント会員として登録されたことを記憶管理するようにしている。
【００６０】
したがって、顧客が各加盟店Ａ，Ｂにおいてそれぞれ獲得したポイントは、各加盟店の本部サーバ５Ａ，５Ｂにて顧客別に記憶管理されているので、統合ポイントカード３６を紛失した場合でも、免許証，保険証等を用いて本人であることを統合ポイント運営センタ１にて証明できさえすれば、各加盟店のポイントが保障される。
【００６１】
また本実施の形態では、顧客がパソコンや携帯電話等のインターネット対応の通信機器を利用して、各加盟店Ａ，Ｂでの自身の累計ポイントを確認できる機能を備えている。すなわち顧客は、通信機器を操作してインターネット１２に開設されている統合ポイント運営センタ１のＷｅｂサイトにアクセスし、このサイトのポイント問合せ用ホームページに自身の顧客コードを入力する。また、一括照会か個別照会のいずれか一方を選択する。
【００６２】
一括照会を選択した場合には、統合ポイント管理装置８において、顧客基本データベース１０の情報に基づいて当該顧客がポイント会員として登録されている加盟店Ａ，Ｂが判別され、その加盟店Ａ，Ｂの本部サーバ５Ａ，５Ｂから当該顧客の現時点における累計ポイントが読み出されて、ホームページ上に表示される。これにより、顧客は、自身がポイント会員として登録されている全ての加盟店の現時点の累計ポイントを容易に確認することができる。
【００６３】
一方、個別照会を選択した場合には、先ず、統合ポイント管理装置８において、顧客基本データベース１０の情報に基づいて当該顧客がポイント会員として登録されている加盟店Ａ，Ｂが判別され、その加盟店リストがホームページ上に表示される。次に、顧客が加盟店リストの中から所望する加盟店、例えば加盟店Ａを選択すると、その加盟店Ａの本部サーバ５Ａから当該顧客の現時点における累計ポイントが読み出されて、ホームページ上に表示される。これにより、顧客は、自身が加盟店Ａの現時点の累計ポイントを容易に確認することができる。
【００６４】
なお、本発明は前記一実施の形態に限定されるものではない。  
例えば、前記一実施の形態では、説明の便宜上、加盟店を加盟店Ａ，加盟店Ｂの２店として説明したが、加盟店が３店以上であっても各加盟店における各店舗のＰＯＳ端末と本部の本部サーバとを広域ネットワーク９に接続するとともに、顧客基本データベース１０のレコードに該当加盟店の会員フラグを追加することによって対処できるのは言うまでもないことである。また、加盟店は店舗が実存する業態に限るものではなく、通信販売等のようにカードを持たないがポイント管理を行なう業態も加盟店として適用できるものである。
【００６５】
また、顧客コードを記録する媒体はカードに限定されるものではない。例えば、携帯電話のメモリに顧客コードを記録し、ＰＯＳ端末が赤外線通信等の近距離無線通信を利用して顧客が携帯する携帯電話のメモリから顧客コードを取得するようにしてもよい。
【００６６】
また、前記一実施の形態では、各加盟店Ａ，Ｂの本部サーバ５Ａ，５Ｂにポイント管理サーバとしての機能（顧客データベース，センタ通信処理部５１，ポイント演算部５２，顧客データベース管理部５３）を持たせたが、本部サーバ５Ａ，５Ｂからこの機能を除外し、ポイント管理に特化した専用サーバを各加盟店Ａ，Ｂの本部４Ａ，４Ｂに設けて広域ネットワーク９に接続して、本部サーバ５Ａ，５Ｂを広域ネットワーク９から切り離すようにしてもよい。この場合、統合ポイント運営センタ１において、各加盟店のポイント管理をアウトソーシングすることも可能である。
【００６７】
図１０は、本発明において、各加盟店のポイント管理をアウトソーシングした他の実施の形態のシステム構成を示す模式図であり、図１と同一部分には同一符号を付している。すなわち、この他の実施の形態では、統合ポイント運営センタ１に、加盟店Ａにおけるポイント管理に特化した専用サーバ１３Ａと、加盟店Ｂにおけるポイント管理に特化した専用サーバ１３Ｂとを設け、各専用サーバ１３Ａ，１３Ｂと統合ポイント管理装置８とを、ＬＡＮ（Local Area Network）１４で接続している。
【００６８】
各専用サーバ１３Ａ，１３Ｂは、それぞれ自加盟店の顧客データベース７Ａ，７Ｂを有するとともに、センタ通信処理部５１，ポイント演算部５２，顧客データベース管理部５３を有している。
【００６９】
しかして、統合ポイント管理装置８は、前記実施の形態では広域ネットワーク９を介して各加盟店Ａ，Ｂの本部サーバ５Ａ，５Ｂに対して行っていた処理Ｓ同様な処理を、ＬＡＮ１４を介して各専用サーバ１３Ａ，１３Ｂに対して行なうことによって、前記実施の形態と同様な作用効果を奏することができるものである。
【００７０】
また、前記一実施の形態では、統合ポイント管理装置８は、顧客情報応答部８６を有し、いずれかの本部サーバ５Ａ，５Ｂから顧客情報の問合せコマンドを受信すると、顧客基本データベース１０から問合せがあった顧客の基本情報を読出して問合せ元の本部サーバ５Ａ，５Ｂ送信するようにしたが、顧客情報応答部８６に代えて顧客基本データベース１０に新規に追加された顧客の基本情報を定期的に各本部サーバ５Ａ，５Ｂに配信する新規顧客情報配信部を設けてもよい。この場合、各本部サーバ５Ａ，５Ｂにおいては、統合ポイント管理装置８から新規顧客の基本情報を受信すると、顧客データベース管理部５３が作用して、顧客データベース７Ａに登録されている顧客コードの基本情報を抜粋して顧客データベース７Ａにおける該当顧客コードのレコードに追加する。また、抜粋した基本情報の顧客コードを統合ポイント管理装置８に返信する。統合ポイント管理装置８においては、顧客基本データベース１０をアクセスして、本部サーバ５Ａから返信された顧客コードの会員フラグＡＦを“１”にセットし、また本部サーバ５Ｂから返信された顧客コードの会員フラグＢＦを“１”にセットする。こうすることにより、当該加盟店の会員であることを認識できるように構成すれば、前記一実施の形態と同様な作用効果を得ることができる。  
この他、本発明の要旨を逸脱しない範囲で種々変形実施可能であるのは勿論である。
【図面の簡単な説明】
【００７１】
【図１】本発明に係る一実施の形態のシステム構成を示す模式図。
【図２】同実施の形態において顧客基本データベースに記憶されるレコードのデータ構造を示す模式図。
【図３】同実施の形態において加盟店データベースに記憶されるレコードのデータ構造を示す模式図。
【図４】同実施の形態において顧客データベースに記憶されるレコードのデータ構造を示す模式図。
【図５】同実施の形態におけるシステムの本発明に関わる機能の主要部を示すブロック図。
【図６】主要機能部の１つである会員締め処理部を説明するための流れ図。
【図７】主要機能部の１つであるインタフェース処理部を説明するための流れ図。
【図８】主要機能部の１つである顧客情報応答部を説明するための流れ図。
【図９】主要機能部の１つであるポイント照会処理部を説明するための流れ図。
【図１０】本発明に係る他の実施の形態のシステム構成を示す模式図。
【符号の説明】
【００７２】
１…統合ポイント管理センタ、２Ａ，２Ｂ…加盟店店舗、３Ａ，３Ｂ…ＰＯＳ端末、４Ａ，４Ｂ…加盟店本部、５Ａ，５Ｂ…本部サーバ、７Ａ，７Ｂ…顧客データベース、８…統合ポイント管理装置、９…広域ネットワーク、１０…顧客基本データベース、１１…加盟店データベース、１２…インターネット、１３Ａ，１３Ｂ…ポイント管理専用サーバ、８１…会員登録処理部、８２…顧客コード生成部、８３…通信処理部、８５…インタフェース処理部、８６…顧客情報応答部、８７…ポイント照会処理部。
【図１】
2006099785.tif 000003
【図２】
2006099785.tif 000004
【図３】
2006099785.tif 000005
【図４】
2006099785.tif 000006
【図５】
2006099785.tif 000007
【図６】
2006099785.tif 000008
【図７】
2006099785.tif 000009
【図８】
2006099785.tif 000010
【図９】
2006099785.tif 000011
【図１０】
2006099785.tif 000012
【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
商品を販売する複数の加盟店にそれぞれ置かれ商品買上情報を発生する各ＰＯＳ端末及び顧客毎の商品買上情報から任意の計算手段により顧客毎にポイントを算出して顧客別に累計管理する加盟店別の各ポイント管理サーバと通信を行なう第１の通信手段と、
前記第１の通信手段を介していずれかの加盟店に置かれた前記ＰＯＳ端末から顧客の商品買上情報を受信すると、その顧客が商品を購入した加盟店を特定する第１の加盟店特定手段と、
この第１の加盟店特定手段により特定された加盟店の前記ポイント管理サーバに前記顧客の商品買上情報を前記第１の通信手段を介して送信する買上情報振分手段と、
前記第１の通信手段を介していずれかの前記ポイント管理サーバからそのサーバで算出されたポイント情報を受信すると、そのポイント情報のポイントが与えられる顧客が商品を購入した加盟店を特定する第２の加盟店特定手段と、
この第２の加盟店特定手段により特定された加盟店に置かれた前記ＰＯＳ端末に前記ポイント情報を前記第１の通信手段を介して送信するポイント情報振分手段と、
を具備したことを特徴とする統合ポイント管理装置。
【請求項２】
各顧客の氏名，住所等の基本情報を記憶する顧客情報記憶手段と、
前記第１の通信手段を介していずれかの前記ポイント管理サーバから顧客情報の問合せコマンドを受信すると、前記顧客情報記憶手段により記憶された情報の中から問合せがあった顧客の基本情報を読出して問合せ元のポイント管理サーバに前記第１の通信手段を介して送信する顧客情報応答手段と、
をさらに具備したことを特徴とする請求項１に記載の統合ポイント管理装置。
【請求項３】
各顧客の氏名，住所等の基本情報とともにその顧客がポイント会員として登録された加盟店を識別する会員店識別情報を記憶する顧客情報記憶手段と、
公衆網を介して接続される通信端末と通信を行なう第２の通信手段と、
この第２の通信手段を介して前記通信端末から顧客のポイント照会コマンドを受信すると、前記顧客情報記憶手段により記憶された情報の中から問合せがあった顧客の会員店識別情報を参照して当該顧客がポイント会員として登録されている加盟店を抽出する会員加盟店抽出手段と、
この会員加盟店抽出手段により抽出された全ての加盟店の前記ポイント管理サーバから当該顧客の累計ポイントを前記第１の通信手段を介して収集する累計ポイント収集手段と、
この累計ポイント収集手段により収集した当該顧客の累計ポイントを前記ポイント照会コマンド送信元の通信端末に前記第２の通信手段を介して送信する累計ポイント送信手段と、
を具備したことを特徴とする請求項１記載の統合ポイント管理装置。
【請求項４】
各顧客の氏名，住所等の基本情報とともにその顧客がポイント会員として登録された加盟店を識別する会員店識別情報を記憶する顧客情報記憶手段と、
公衆網を介して接続される通信端末と通信を行なう第２の通信手段と、
この第２の通信手段を介して前記通信端末から顧客のポイント照会コマンドを受信すると、前記顧客情報記憶手段により記憶された情報の中から問合せがあった顧客の会員店識別情報を参照して当該顧客がポイント会員として登録されている加盟店を抽出する会員加盟店抽出手段と、
この会員加盟店抽出手段により抽出された加盟店のリストデータを前記ポイント照会コマンド送信元の通信端末に前記第２の通信手段を介して送信する加盟店リスト送信手段と、
この加盟店リスト送信手段により加盟店のリストデータを送信した前記通信端末から前記第２の通信手段を介してそのリストデータの中の少なくとも１つの加盟店を指定したことを示す加盟店指定情報を受信すると、その指定された加盟店のポイント管理サーバから当該顧客の累計ポイントを前記第１の通信手段を介して収集する累計ポイント収集手段と、
この累計ポイント収集手段により収集した当該顧客の累計ポイントを前記ポイント照会コマンド送信元の通信端末に前記第２の通信手段を介して送信する累計ポイント送信手段と、
を具備したことを特徴とする請求項１記載の統合ポイント管理装置。